(57)【要約】領域を通じて移動しているユーザは、デバイスからの情報を受け取る。当該情報は、例えば、車両状態（例えば、速度および燃料状態）、現在の環境（例えば、トラフィックおよび自己の通知）、並びに／またはコンテンツ・ストリーム（例えば、ラジオ若しくはポッドキャスト）である。しかしながら、当該情報は、移動についてのユーザのフォーカスまたはモチベーションに無関係となり、気をそらすものとなる場合がある。ユーザは、移動の話題についての情報を要求して受け取るが、ユーザの中には可能な注意力および／または当該要求を開始する誘発要因を有しないものもある。代替として、デバイスは、ユーザの現在の位置および方向を検出し、現在の位置および方向に従ってユーザの目的地を予測し、予測した目的地に関連付けられる１つ以上のコンテンツ・アイテム（例えば、ユーザについて予測した目的地に位置したエンティティまたは組織を伴う分類ニュース・アラート）を抽出してユーザに提示することができる。【選択図】図３
2017536532.tif 000002
【特許請求の範囲】
【請求項１】
プロセッサを有するデバイスのユーザにコンテンツ・アイテムを提示する方法であって、前記プロセッサ上で命令を実行するステップを含み、前記命令が前記デバイスに、
現在の移動期間の間に前記ユーザの現在の位置および現在の方向を検出させ、
前記現在の位置および前記現在の方向を用いて、前記ユーザの目的地を予測させ、
前記ユーザの目的地に関連付けられるコンテンツ・アイテムを特定させ、
前記現在の移動期間の間に、前記ユーザの目的地に関連付けられる前記コンテンツ・アイテムを提示させる、方法。
【請求項２】
請求項１記載の方法において、
前記ユーザの目的地を予測することが、更に、前記目的地に関連付けられるエンティティを特定することを含み、
前記コンテンツ・アイテムを特定することが、更に、前記ユーザの目的地に関連付けられる前記エンティティに関連付けられるコンテンツ・アイテムを特定することを含み、
前記コンテンツ・アイテムを提示することが、更に、前記現在の移動期間に、前記ユーザの目的地に関連付けられる前記エンティティに関連付けられる前記コンテンツ・アイテムを提示することを含む、方法。
【請求項３】
請求項１記載の方法において、
前記ユーザが、前記ユーザに関連付けられる選択される目的地を含む目的地セットに関連付けられ、
前記ユーザの目的地を予測することが、更に、前記現在の位置および前記現在の方向を用いて、前記目的地セットが有する前記選択される目的地の中から、前記ユーザの目的地を予測することを含む、方法。
【請求項４】
請求項１記載の方法において、前記目的地を予測することが、更に、
位置セットが有する少なくとも２つの位置のそれぞれについて、前記ユーザの目的地としての前記位置の確率を特定し、
前記２つの位置のそれぞれの前記確率に従って前記目的地を予測する、
ことを含む、方法。
【請求項５】
請求項４記載の方法において、前記確率を特定することが、更に、
前記ユーザの前記位置と前記現在の位置との間の距離に比例して、前記位置の確率を減少させることを含む、方法。
【請求項６】
請求項１記載の方法において、
前記命令を実行するステップが、更に、前記デバイスに、前記現在の位置までの前記ユーザの移動経路を追跡させ、
前記現在の方向を検出することが、更に、前記ユーザの移動経路に従って前記現在の方向を検出することを含む、方法。
【請求項７】
請求項１記載の方法において、
前記デバイスが、前記現在の位置から個人目的地まで個人が移動する少なくとも１つの移動経路を含む移動経路セットへアクセスし、
前記ユーザの目的地を予測することが、更に、前記個人の目的地として、前記移動経路セットの個人目的地を予測することを含み、前記移動経路セットが、前記ユーザの前記現在の位置および前記現在の方向を含む移動経路に関連付けられる、方法。
【請求項８】
命令を格納するメモリであって、モバイル・デバイスが有するプロセッサによって実行されると、前記モバイル・デバイスに、
現在の移動期間の間にユーザの現在の位置および現在の方向を検出させ、
前記現在の位置および前記現在の方向を用いて、前記ユーザの目的地を予測させ、
前記ユーザの目的地に関連付けられるコンテンツ・アイテムを特定させ、
前記現在の移動期間の間に、前記目的地に関連付けられる前記コンテンツ・アイテムを前記ユーザに提示させる、メモリ。
【請求項９】
請求項８記載のメモリにおいて、前記命令を実行することが、更に、前記モバイル・デバイスに、
第２時刻において、前記ユーザの更新された位置および更新された方向を検出させ、
前記更新された位置および前記更新された方向を用いて、前記ユーザの更新された目的地を予測させ、
前記更新された目的地に従って前記コンテンツ・アイテムの提示を調整させる、メモリ。
【請求項１０】
請求項８記載のメモリ・デバイスにおいて、前記コンテンツ・アイテムを提示することが、更に、
前記ユーザの前記現在の位置および前記現在の方向を示す移動インタフェースを前記ユーザに提示し、
前記移動インタフェースを提示することと並行して、前記コンテンツ・アイテムを前記ユーザに提示することを含む、メモリ・デバイス。
【請求項１１】
請求項８記載のメモリ・デバイスにおいて、
前記現在の移動期間が前記ユーザの相互作用モダリティに関連付けられ、
前記コンテンツ・アイテムを提示することが、更に、前記ユーザの相互作用モダリティに従ってフォーマットされた前記コンテンツ・アイテムを提示することを含む、メモリ・デバイス。
【請求項１２】
請求項８記載のメモリ・デバイスにおいて、
前記現在の移動期間が前記ユーザの相互作用モダリティに関連付けられ、
前記コンテンツ・アイテムを特定することが、更に、前記ユーザの目的地に関連付けられ、且つ前記ユーザの相互作用モダリティに従ってフォーマットされたコンテンツ・アイテムを特定することを含む、メモリ・デバイス。
【請求項１３】
請求項８記載のメモリ・デバイスにおいて、
前記コンテンツ・アイテムを特定することが、更に、前記位置に関連付けられる少なくとも２つのコンテンツ・アイテムを含むコンテンツ・アイテム・セットについて、前記コンテンツ・アイテムの前記目的地との関係度に従って、それぞれのコンテンツ・アイテムをランク付けすることを含み、
前記コンテンツ・アイテムを提示することが、更に、前記位置に関連付けられた前記少なくとも２つのコンテンツ・アイテムのコンテンツ・アイテム・セットを前記ユーザに提示し、前記それぞれのコンテンツ・アイテムのランク付けに従って、前記コンテンツ・アイテム・セットをソートすることを含む、メモリ・デバイス。
【請求項１４】
請求項８記載のメモリ・デバイスにおいて、
前記目的地を予測することが、更に、
位置セットが有する少なくとも２つの位置のそれぞれについて、前記ユーザの目的地としての前記位置の確率を特定し、
前記少なくとも２つの位置のそれぞれの確率に従って前記目的地を予測することを含み、
前記コンテンツ・アイテムを提示することが、更に、
前記位置セットが有する位置にそれぞれ関連付けられる前記少なくとも２つのコンテンツ・アイテムについての前記コンテンツ・アイテム・セットを前記ユーザに提示し、
前記位置と前記ユーザの前記現在の位置の間の距離に従って、前記コンテンツ・アイテム・セットをソートすることを含む、メモリ・デバイス。
【請求項１５】
請求項８記載のメモリ・デバイスにおいて、
前記コンテンツ・アイテムが優先度に関連付けられ、
前記コンテンツ・アイテムを提示することが、更に、前記コンテンツ・アイテムの優先度を反映するコンテンツ・アイテム・フォーマットで、前記コンテンツ・アイテムを前記ユーザに提示することを含む、メモリ・デバイス。
【発明の詳細な説明】
【技術分野】
【０００１】
[0001]  コンピューティングの技術分野では、多くのシナリオでは、ユーザが歩行若しくは乗ること(mount)により領域内を移動し、または車両内を移動することを伴う。デバイスおよびサービスの中には、移動期間中にユーザを支援する（例えば旅行代理店または訪問先計画サービス）ものがあり、利用可能な目的地についての様々な情報をユーザに提示できるものがある。
【０００２】
[0002]  実際の移動期間の間に、様々な技術を利用して、デバイスが情報を提供することによって、ユーザを支援することを可能にする。上記技術は、例えば、エリアの地図、ユーザのルート、および近くの位置を表示する装置をマップする全地球測位システム（ＧＰＳ）、車両状態（例えば速度、燃料レベル、およびタイヤ圧）に関する情報を提供する車両状態のインジケータ、並びに、ユーザの環境（例えば、周囲温度、および交通または事故の存在）に関する情報を提供する環境センサである。このようなシナリオでは、ユーザはまた、様々なデバイスを利用して、移動期間の間に、コンテンツにアクセスする。例えば、ユーザは、ラジオ、オーディオ・ライブラリ、またはポッドキャストを利用して、オーディオ・コンテンツのストリーミングにアクセスすることができ、または、タブレット・デバイスを利用して、ローカルに格納され若しくはインターネットから検索されたコンテンツにアクセスすることができる。
【発明の概要】
【０００３】
[0003]  本概要は、以下の発明の詳細な説明で更に説明する簡略化した形態での概念の選択を導入するために設けるものである。本概要は、特許請求する主題についての鍵となる要因または必須の特徴を特定することを意図するものではなく、且つ、特許請求する主題の範囲を限定するために使用されるのを意図するものでもない。
【０００４】
[0004]  コンテンツをユーザに提示するデバイスは、移動の文脈に関係するコンテンツを供給するようには構成されていない。即ち、当該コンテンツは、現在のローカル環境、車両の状態、およびユーザのルートに関する情報、ユーザに対してパーソナライズされた情報（例えば、ユーザが楽しむまたは購入した音楽のストリーミング）、またはユーザの移動に文脈的に関係しない予め生成されたメディア・ストリーム（例えば、通常のラジオ・ストリーミング）を含む。しかしながら、当該情報の提示は、移動に出発する際のユーザのフォーカスまたはモチベーションには関係しない。また、移動期間のフォーカスまたはモチベーションからアクティブに気を散らすもの(distraction)を提示することもある。ユーザはまた、（移動期間に関するメディアを事前に選択して、移動期間の間に当該メディアの提要を要求することによって、或いは、移動のフォーカス若しくはモチベーションに関係する移動期間の間に要求を出す(submit)ことによって、また、このようにデバイスが抽出したコンテンツの提示を受けることによって）ユーザの移動に関するコンテンツにアクセスすることもできる。しかしながら、例えば、コンテンツへの要求を開始することによって、また、要求するコンテンツの種別を特定することによって、ユーザがこの経験を引き起こす(drive)必要があることもあり、また、デバイスは、移動期間の間にユーザの要求を単に履行することもある。多くの文脈では（例えば、ユーザが車両を操作している間は）、ユーザは、可能な注意力、および／またはこのような要求を開始する誘発要因を有しないことがあり、つまり、移動期間に関係するコンテンツを受け取らないことがある。
【０００５】
[0005]  本明細書に提示するのは、移動期間に関連するコンテンツを供給するデバイスを構成する技術である。当該技術によれば、デバイスは、現在の移動期間の間に、ユーザの現在の位置および現在の方向を検出することができる。デバイスはまた、現在の位置および現在の方向を用いて、ユーザの目的地を予測することもできる。デバイスはまた、ユーザの目的地に関連付けられるコンテンツ・アイテムを特定し、現在の移動期間の間に、目的地に関連付けられるコンテンツ・アイテムをユーザに提示することができる。このようにして、本明細書に提示する技術に従って、デバイスは、ユーザの関与に依存してコンテンツの提示を引き起こさせることなく、予測したユーザの目的地に関連付けられる情報を取り出してユーザに提示することができる。
【０００６】
[0006]  上記およびこれに関連する目的を達成するために、以下の説明および添付の図面は、特定の例示の態様および実施形態について例示するものである。これらは、１つ以上の態様で使用され得る様々な方法の内のほんの幾らかについて示すものである。本開示についての他の態様、利点、および新規の特徴は、添付の図面と関連して考察すると、以降の発明の詳細な説明から明らかなものとなろう。
【図面の簡単な説明】
【０００７】
【図１】図１は、移動期間の前およびその間に、ユーザに情報を提示することを特徴としている例示のシナリオについて示す。
【図２】図２は、本明細書に提示する技術に従い、予測されたユーザの目的地に関係するコンテンツ・アイテムをユーザに提示することを特徴としている例示のシナリオについて示す。
【図３】図３は、本明細書に提示する技術に従い、移動期間の間に、コンテンツ・アイテムを、デバイスを有するユーザに提示する例示の方法についてのフロー図である。
【図４】図４は、本明細書に提示する技術に従い、移動期間の間に、コンテンツ・アイテムを、デバイスを有するユーザに提示する例示のシステムについてのコンポーネント・ブロック図である。
【図５】図５は、本明細書に記載する１つ以上のプロビジョンを具体化するように構成されるプロセッサ実行可能命令を含む例示のコンピュータ可読媒体について示す。
【図６】図６は、本明細書に提示する技術に従い、移動期間の間に、ユーザの目的地を予測する第１技術を特徴としている例示のシナリオについて示す。
【図７】図７は、本明細書に提示する技術に従い、移動期間の間に、ユーザの目的地を予測する第２技術を特徴としている例示のシナリオについて示す。
【図８】図８は、本明細書に提示する技術に従い、ユーザに提示するためのコンテンツ・アイテムのランク付けを特徴としている例示のシナリオについて示す。
【図９】図９は、本明細書に提示する技術に従い、コンテンツ・アイテムをユーザに提示するための第１技術を特徴としている例示のシナリオについて示す。
【図１０】図１０は、本明細書に提示する技術に従い、コンテンツ・アイテムをユーザに提示するための第２技術を特徴としている例示のシナリオについて示す。
【図１１】図１１は、本明細書に記載する１つ以上のプロビジョンを実施することができる例示のコンピューティング環境について示す。
【発明を実施するための形態】
【０００８】
[0018]  特許請求する主題について、これより図面を参照して説明する。ここでは、全体を通じて同様の符号を、同様の構成要素を参照するために用いる。以下の記載においては、説明の目的で多くの具体的な詳細を記載し、特許請求する主題についての完全な理解に供する。しかしながら、特許請求する主題がこれらの具体的な詳細なくとも実施できることは明らかであろう。他の例では、構造およびデバイスをブロック図の形態で示し、特許請求する主題の説明を容易にする。
【０００９】
Ａ．序文
[0020]  図１は例示のシナリオ１００であって、移動期間１１２に関連付けられたコンテンツを、デバイス１０４を有するユーザ１０２が受け取る例示のシナリオを特徴としている。
【００１０】
[0021]  この例示のシナリオ１００では、第１時刻１２２で、ユーザ１０２はデバイス１０４を利用しながら移動期間１１２を計画する。例えば、デバイス１０４を利用して、ユーザ１０２が関心を有する目的地１０８を特定し、移動期間の日時１０８をスケジュールし、起点から、選択された目的地１０８までの移動期間１１２にわたるルートを選択し、移動期間１１２についての移動予約を行う（例えば、車をレンタルするかまたは飛行機を予約する）ことによって、ユーザ１０２は行程(itinerary)１０６を作成する。この第１時刻１２２で、デバイス１０４は、様々なやり方でユーザ１０２を支援することができる。例えば、デバイス１０４は、目的地１０８に関係するコンテンツ・アイテム１１０（例えば、将来の移動期間１１２の間の目的地１０８の天気予報）を提示する。
【００１１】
[0022]  第２時刻１２４で、移動期間１１２の間に、ユーザ１０２は、移動期間１１２を促進する様々なやり方でデバイス１０４を利用する。このような第１の例として、デバイス１０４は、車両の状態に関する様々な種別のコンテンツ（例えば、速度、燃料状態、およびタイヤ圧）をユーザ１０２に提示する。このような第２の例として、デバイス１０４は、移動期間１１２の間における、ユーザ１０２の現在の位置１１４と目的地１０８間のユーザのルートについての情報（例えば、ターン・バイ・ターン方向、トラフィック情報１１８、および近くにある場所（例えば、食品および燃料の貯蔵庫）の存在）をユーザ１０２に提示する。このような第３の例として、デバイス１０４は、ローカル環境についての情報（例えば、ユーザの現在の位置での周辺温度、またはユーザの現在の位置１１４の近辺での事故若しくは道路障害の発生）をユーザ１０２に提示する。このような第４の例として、デバイス１０４は、コンテンツ（例えば、ラジオからの、または音楽ライブラリ、ポッドキャスト若しくはオーディオブックから選択された音楽ストリーミング１２０）をユーザ１０２に提示する。このような第５の例として、車両を操作していないユーザ１０２は、デバイス１０４によって提示される視覚コンテンツのセット（例えば、ビデオ、写真アルバム、またはデジタル・ブック）をビューする。
【００１２】
[0023]  また、ユーザ１０２は、様々な話題についてのコンテンツを、デバイス１０４から要求する。例えば、インターネット接続を有するモバイル・デバイス（例えば、電話機またはタブレット）のユーザ１０２は、特定の話題に関する情報について抽出クエリ１１６を開始する。そして、デバイス１０４は、その特定の話題に関係するコンテンツ・アイテム１１０を特定した抽出結果を提示する。一例として、ユーザ１０２は、移動期間１１２におけるフォーカスまたはモチベーションに関係する抽出クエリ（例えば、ユーザの目的地１０８に関する情報）を提供する。そして、デバイス１０４は、抽出クエリ１１６を履行(fulfill)して、要求されたコンテンツ・アイテム１１０をユーザ１０２に提示する。このようにして、デバイス１０４は、移動期間１１２の間に様々な形態のコンテンツをユーザ１０２に提示することができる。
【００１３】
[0024]  しかしながら、図１の例示のシナリオ１００は、コンテンツのユーザ１０２への提示において若干の制限を呈することがある。特に、デバイス１０４によって提示される当該コンテンツは、ユーザの現在の位置１１４または関心に関係する。或いは、（例えば、パブリック・ラジオ放送のような）ユーザ１０２には全く関係しない。その間、コンテンツは、（例えば、ユーザ１０２が訪問に出発する理由のような）移動期間１１２におけるフォーカスまたはモチベーションには関係がないことになる。ユーザ１０２のマインドが移動期間１１２のフォーカスまたはモチベーションで占められている場合に、無関係なコンテンツ・アイテム１１０の提示によって、ユーザ１０２は気を散らすことが強いられることになる。このような第２の例として、ユーザ１０２は、（例えば、移動期間１１２に関係するコンテンツ・アイテム１１０をデバイス１０４上に事前にロードすることによって、または、移動期間１１２の間に、このようなコンテンツ・アイテム１１０についての抽出クエリ１１６を開始することによって）移動期間１１２のフォーカスまたはモチベーションについての情報をアクティブに要求する。しかし、ユーザ１０２の中には、このような要求を開始するのを可能にする注意力を有しないこともあり（例えば、ユーザ１０２は車両を操作していることがある。）、および／または当該要求を開始する誘発要因を単に有しないこともある。このような第３の例として、ユーザ１０２は、移動期間１１２の準備をしておらず（例えば、友人宅または異なる町への自然発生的な訪問）、および／または、デバイス１０４は移動期間１１２を事前に通らされていない。このような第４の例として、ユーザ１０２の目的地１０８は、移動期間１１２の間に変更する。例えば、移動期間１１２の開始時よりも、ユーザ１０２が異なる目的地１０８を選択するのを自然発生的に動機付けられ、および／または新しい目的地１０８を含めるために、ユーザ１０２に行程１０８を変更させる事情（例えば、電話）を経験する。このような多くの制限は、デバイス１０４が、移動期間１１２のフォーカスまたはモチベーションとは関係しないコンテンツ・アイテム１１０をユーザ１０２に提示するシナリオにおいて発生することになる。
【００１４】
Ｂ．提示する技術
[0026]  図２は、本明細書に提示する技術に従って、移動期間１０８の間に、デバイス１０４が、ユーザ１０２について予測された目的地２０６に関係するコンテンツ・アイテム２０８をユーザ１０２に提示する例示のシナリオ２００について提示する。
【００１５】
[0027]  図２の例示のシナリオ２００では、デバイス１０４を有するユーザ１０２は、移動期間１１２にあり、その時間内の特定の時に、ユーザ１０２は現在の位置１１４と、ユーザが向かっている現在の方向２０２と、を有する。ユーザ１０２が有するデバイス１０４は、ユーザ１０２の現在の位置１１４および現在の方向２０２を検出する。そして、現在の位置１１４および現在の方向２０２に従って（例えば、現在の位置１１４および現在の方向２０２から推定されるユーザ１０２の経路内にある位置を特定することによって）、ユーザ１０２の目的地２０６の予測を開始する。次いで、デバイス１０４は、予測された目的地２０６に関連付けられる１つ以上のコンテンツ・アイテム２０８を抽出し、コンテンツ・アイテム２０８のユーザ１０２への提示２１０を発生させる。このようにして、本明細書に提示する技術に従って、デバイス１０４は、移動期間１１２におけるフォーカスまたはモチベーションに関連するコンテンツ・アイテム２０８をユーザ１０２に提示する。
【００１６】
Ｃ．技術的効果
[0029]  本明細書に提示する技術を用いることにより、予測される目的地２０６に関連するコンテンツ・アイテム２０８をユーザに提示することは様々な技術的な効果を奏することになる。
【００１７】
[0030]  本明細書に提示する技術によって達成可能となる技術的な効果の第１の例として、デバイス１０４は、ユーザの目的地１０８に関連しないコンテンツ・アイテム１１０というよりは寧ろ、ユーザの目的地に文脈的に関連するコンテンツ・アイテム２０８をユーザ１０２に提示し、それ故、移動期間１１２のフォーカスまたはモチベーションから気を散らせる。したがって、当該提示は、ユーザ１０２が気を散らすものに対して特に敏感になるという文脈において特に、ユーザ１０２に提示される、より正確でユーザ応答的(user-responsive)なコンテンツの適合を可能とする。
【００１８】
[0031]  本明細書に提示する技術によって達成可能となる技術的な効果の第２の例として、ユーザ１０２が目的地１０８をデバイス１０４に対して明示的に特定することに依存しない手法で、当該デバイス１０４は、コンテンツ・アイテム２０８をユーザ１０２に提示する。このような第１の例として、ユーザ１０２が事前準備なしで自然発生的に移動期間１１２にある場合に、デバイス１０４は、コンテンツ・アイテム２０８を提示する、ユーザ１０２からの特定の指示を待機することなく、ユーザ１０２の事情に対し、コンテンツ・アイテム２０８の提示を自動的に構成する。更に、ユーザの状況が変化して新しい目的地２０６の選択へと導く場合は、本明細書に提示する技術は、ユーザ１０２からの、明示的に特定された情報および／またはそのような明示の要求を待機することなく、ユーザ１０２について更新された事情に対し、デバイス１０４の自動適合を可能にする。
【００１９】
[0032]  本明細書に提示する技術によって達成可能となる技術的な効果の第３の例として、デバイス１０４は、例えばユーザ１０２が車両を操作している間に、ユーザの可能な注意力または誘発要因に依存しない手法で、コンテンツ・アイテム２０８をユーザ１０２に提示する。つまり、当該提示をガイドするのにユーザの注意力が利用可能ではないシナリオでは、当該提示は、ユーザ１０２の文脈に対するコンテンツの供給を適合する。これらのおよび他の技術的な効果は、本明細書に提示する技術に従って、コンテンツ・アイテム２０８をユーザ１０２に提示するデバイス１０４の構成によって達成可能となる。
【００２０】
Ｄ．例示の実施形態
[0034]  図３は、本明細書に提示する技術についての第１の例示の実施形態を、ユーザ１０２について予測された目的地２０６に関係するコンテンツ・アイテム２０８をユーザ１０２に提示するデバイス１０４を構成する例示の方法３００として示す。例示の方法３００は、例えば、メモリ回路、ハード・ディスク・ドライブのプラッタ、ソリッド・ステート・ストレージ・デバイス、または磁気若しくは光ディスクのようなデバイス１０４のメモリ・コンポーネントに格納される命令のセットとして、実装することができる。また、デバイスが有するプロセッサで実行するときに、本明細書に提示する技術に従いデバイス１０４を動作させるように組織することができる。
【００２１】
[0035]  例示の方法３００は３０２で始まり、デバイスのプロセッサ上での命令の実行（３０４）を伴う。具体的には、プロセッサ上での命令の実行（３０４）は、デバイス１０４に、現在の移動期間１１２の間にユーザ１０２の現在の位置１１４および現在の方向２０２を検出させる（３０６）。プロセッサ上での命令の実行（３０４）はまた、デバイス１０４に、現在の位置１１４および現在の方向２０２を用いて、ユーザ１０２の目的地２０６を予測させる（３０８）。プロセッサ上での命令の実行（３０４）はまた、デバイス１０４に、ユーザ１０２の目的地２０６に関連付けられるコンテンツ・アイテム２０８を特定させる（３１０）。プロセッサ上での命令の実行（３０４）はまた、デバイス１０４に、現在の移動期間１１２の間に、ユーザ１０２の目的地２０６に関連付けられるコンテンツ・アイテム２０８を提示させる（３１２）。このようにして、命令は、デバイス１０４に対し、本明細書に提示する技術に従い、移動期間１１２におけるフォーカスまたはモチベーションに文脈的に関係するコンテンツ・アイテム２０８をユーザ１０２に提示させる。そして、３１４で終了する。
【００２２】
[0036]  図４は、本明細書に提示する技術についての第２の例示の実施形態を、プロセッサ４０４と、現在の移動期間１１２におけるユーザ１０２の現在の位置１１４および現在の方向２０２を検出する位置検出器４０６と、出力デバイス４０８（例えば、ディスプレイまたはスピーカのセット）と、を特徴としている例示のモバイル・デバイス４０２上に実装される例示のシステム４１２として示す。例示のシステム４１２は、例えば、例示のモバイル・デバイス４０２が有するメモリ４１０に格納された命令のセットをそれぞれが含むコンポーネントのセットとして実装される。ここでは、それぞれのコンポーネントにおける命令は、プロセッサ４０４上で実行されると、モバイル・デバイス４０２に、本明細書に提示する技術に従い動作させる。
【００２３】
[0037]  例示のシステム４１２は目的地予測器４１８を含む。目的地予測器４１８は、ユーザ１０２の現在の位置１１４および現在の方向２０２を用いて、ユーザ１０２の目的地２０６を予測する。例示のシステム４１２はまた、コンテンツ・アイテム選択器４１６を含む。そして、コンテンツ・アイテム選択器４１６は、ユーザ１０２について予測された目的地２０６に関連付けられるコンテンツ・アイテム２０８を特定する。例示のシステム４１２はまた、コンテンツ・アイテム提示器４１４を含む。コンテンツ・アイテム提示器４１４は、現在の移動期間１１２の間に、目的地２０６に関連付けられたコンテンツ・アイテム２０８を、出力コンポーネント４０８を通じてユーザ１０２に提示する。このようにして、例示のシステム４１２は、例示のモバイル・デバイス４０２によって、本明細書に提示する技術に従って、コンテンツ・アイテム２０８をユーザ１０２に提示するのを可能にする。
【００２４】
[0038]  更なる別の実施形態は、本明細書に提示する技術を適用するように構成されるプロセッサ実行可能命令を備えるコンピュータ可読媒体を含む。このようなコンピュータ可読媒体は、様々な種別の通信媒体（例えば、様々な物理現象（例えば、電磁信号、音波信号または光信号）を通じて、並びに様々な有線のシナリオ（例えば、イーサネット（登録商標）または光ファイバーケーブルを介して）、および／または無線のシナリオ（例えば、ＷｉＦｉのような無線ローカル・エリア・ネットワーク（ＷＬＡＮ）、Ｂｌｕｅｔｏｏｔｈ（登録商標）のようなパーソナル・エリア・ネットワーク（ＰＡＮ）、またはセルラ若しくは無線ネットワーク）で伝播することができる信号）を含む。そして、デバイスのプロセッサによって実行されると、本明細書に提示する技術をデバイスに実施させるコンピュータ可読命令のセットをエンコードする。このようなコンピュータ可読媒体はまた、コンピュータ可読メモリ・デバイス（例えば、半導体メモリ（例えば、スタティック・ランダム・アクセス・メモリ（ＳＲＡＭ）、ダイナミック・ランダム・アクセス・メモリ（ＤＲＡＭ）、および／または同期型ダイナミック・ランダム・アクセス・メモリ（ＳＤＲＡＭ）技術を利用する半導体、ハード・ディスク・ドライブのプラッタ、フラッシュ・メモリ・ドライブ、または磁気若しくは光ディスク（例えば、ＣＤ−Ｒ、ＤＶＤ−Ｒ若しくはフロッピーディスク））を、（通信媒体を除外する技術のクラスとして）含むことができる。そして、デバイスが有するプロセッサによって実行されると、本明細書に提示される技術をデバイスに実施させるコンピュータ可読命令のセットをエンコードする。
【００２５】
[0039]  これらの方法により考案することができる例示のコンピュータ可読媒体について図５に示す。ここでは、実装態様５００は、コンピュータ可読データ５０４がエンコードされたコンピュータ可読メモリ・デバイス５０２（例えば、ＣＤ−Ｒ、ＤＶＤ−Ｒまたはハード・ディスク・ドライブのプラッタ）を含む。このコンピュータ可読データ５０４は、次いで、デバイス５１０のプロセッサ４０４上で実行されると、当該デバイスに、本明細書に記載する原理に従って動作させるコンピュータ命令のセット５０６を含む。このよう第１の実施形態では、プロセッサ実行可能命令５０６は、デバイス５１０に、図３における例示の方法３００のような、コンテンツ・アイテム２０８をユーザ１０２に提示する方法を実行させる。このような第２の実施形態では、プロセッサ実行可能命令５０６は、デバイス５１０に、図４における例示のシステム４１２のような、コンテンツ・アイテム２０８をユーザ１０２に提示するシステムを実装させる。このような多くのコンピュータ可読媒体は、当該技術分野における当業者によって考案され、本明細書に提示する技術に従って動作するように構成される。
【００２６】
Ｅ．変更例
[0041]  本明細書において検討する技術は多くの態様における変更と共に考案される。幾らかの変更例は、追加の利点を提示することができ、および／またはこれらの若しくは他の技術における他の変更例に関する不利な点を低減させることができる。更に、幾らかのバリエーションを組み合わせて実施することができ、また、幾らかの組み合せは、利点の付加および／または相乗効果的な協働による不利な点の低減を特徴とすることができる。変更例は、様々な実施形態（例えば、図３の例示の方法３００および図４の例示のシステム４１２）に組み込み、このような実施形態に個々および／または相乗効果的な利点を与えることができる。
【００２７】
Ｅ１．シナリオ
[0043]  これら技術が有する実施形態内で変更できる第１の態様は、シナリオは、このような技術を利用できるシナリオに関する。
【００２８】
[0044]  この第１の態様における第１の変更例として、本明細書に提示する技術を利用され、ワークステーション、サーバ、ラップトップ、タブレット、モバイル・フォン、ゲーム・コンソール、ポータブル・ゲーム・デバイス、または非ポータブル・メディア・プレイヤ、メディア・ディスプレイ・デバイス（例えば、テレビ）、電気機器、ホーム・オートメーション・デバイス、および管理制御データ収集（ＳＣＡＤＡ）デバイスのような数多くのデバイスの構成を達成することができる。
【００２９】
[0045]  この第１の態様の第２の変更例として、本明細書に提示される技術を、１以上のユーザ１０２における数多くの種別の移動期間１１２で利用される。このような第１の例として、移動期間１１２は、第１都市または国から第２都市または国までの長距離旅行、都市にわたる短距離旅行、または近所若しくは公園内の局所的な移動を含む。このような第２の例として、移動期間１１２は繰り返しのパターン（例えば、毎日の通勤）、特別に計画された目的地２０６の訪問、および／または予め選択された目的地２０６に拘わることのない自然発生的な訪問を含む。このような第３の例として、移動期間１１２は、歩行者用の移動期間１１２のような数多くのモードの交通手段を伴う。例えば、足によるエリアを通じた移動（例えば、ウォーキング、ハイキング、ジョギング、スケーティングまたはスキー）、動物（例えば馬）の上に乗ったユーザ１０２による移動、および／または車両（例えば、自動車、ボート若しくは飛行機）のユーザ１０２による移動である。更に、ユーザ１０２は、車両を操作中、または車両内の乗客としてもよい。また、ユーザ１０２は、デバイス１０４の所有者でもよく、デバイス１０４と相互作用し、および／またはデバイス１０４からコンテンツを受動的に受け取ってもよい。
【００３０】
[0046]  この第１の態様の第３の変更例として、本明細書に提示する技術は、数多くの種別の目的地２０６に関する。例えば、地理的な位置、居住用若しくは商業用建物、イベント、または、ユーザ１０２に関心がある他の個人、動物若しくはデバイスの位置である。当該目的地２０６はまた、ユーザ１０２の最終目的地、他の目的地２０６への途中にあるユーザ１０２の中間停止地、ユーザ１０２にとって関心を有するエンティティに関連付けられる、ユーザ１０２のルート近くの位置を含んでもよい。これらのおよび他のシナリオは、本明細書に提示する技術に従って、ユーザ１０２について予測された目的地２０６に関係するコンテンツ・アイテム２０８の提示に適するものとなる。
【００３１】
Ｅ２．目的地の予測
[0048]  本明細書に提示する技術について実施形態間で変更できる第２の態様は、ユーザ１０２の現在の位置１１４および現在の方向２０２に基づいてユーザ１０２の目的地２０６を予測する手法に関する。
【００３２】
[0049]  この第２の態様の第１の変更例として、ユーザ１０２の現在の位置１１４および現在の方向２０２は、様々な手法で検出される。このような第１の例として、デバイス１０４は、位置検出器４０６（例えば、全地球測位システム（ＧＰＳ）受信機）を特徴としているモバイル・デバイスを含む。また、ユーザ１０２の現在の位置１１４および現在の方向２０２を示す位置検出器４０６から現在の座標のセットを受け取る。このような第２の例として、デバイス１０４は、固定位置または公知位置でオブジェクトに対して検出される近接度（例えば、セルラ通信タワーまたはＷｉＦｉネットワークに基づく三角計量）に従い、ユーザ１０２の現在の位置１１４および現在の方向２０２の三角計量を行うことを可能とする。このような第３の例として、デバイス１０４は、ユーザの現在の環境についての評価（例えば、公知のランドマークを検出および特定するカメラからの視覚入力を評価し、並びに／または、ライダー、ソナーおよび／若しくはレーダー・デバイスを利用する。）に基づいて、ユーザ１０２の現在の位置１１４および現在の方向２０２の検出を行うことを可能とする。このような第４の例として、デバイス１０４は、コンパス、加速度計、および／またはジャイロスコープ・センサを備え、ユーザ１０２の速度、加速度、方位(orientation)および／または方向(heading)の評価を可能とする。このような第５の例として、デバイス１０４は、他のデバイス（例えば、ユーザ１０２に付けられたウェアラブル・デバイス、または、イメージの位置を示す交換可能イメージ・ファイル・フォーマット（ＥＸＩＦ）データを含むイメージをユーザ１０２がキャプチャするカメラ）から、ユーザ１０２の現在の位置１１４および現在の方向２０２を受け取ることができる。
【００３３】
[0050]  この第２の態様における第２の変更例として、デバイス１０４は、目的地において関連付けられるエンティティを特定することによって、ユーザ１０２の目的地２０６を予測することができる。このような第１の例として、エンティティは、目的地２０６に位置し且つ個人若しくは組織に関連付けられる商業用または居住用建物を含む。このような第２の例として、エンティティは、個人、組織、または目的地２０６に現在位置するイベント（例えば、コンベンション・センタで現在行われているスポーツの試合）を含む。デバイス１０４は、目的地２０６においてエンティティと関連付けられるコンテンツ・アイテム２０８を特定して、エンティティに関連付けられるコンテンツ・アイテム２０８をユーザ１０２に提示する。
【００３４】
[0051]  この第２の態様の第３の変更例として、ユーザ１０２は、目的地セットに関連付けられる。目的地セットは、ユーザ１０２に関連付けられた選択された目的地２０６（例えば、ユーザ１０２が以前に訪問した位置、または、ユーザ１０２が関連付けを有する他の個人および会社を表す、ユーザ１０２のコンタクト・リストに格納されている位置）を含む。現在の位置１１４および現在の方向２０２を用いて、デバイス１０４は、目的地セットにおける選択された目的地２０６の中から、ユーザ１０２の目的地２０６を予測する。
【００３５】
[0052]  図６は、この第２の態様の第４の変更例を特徴としている例示のシナリオ６００を示す。ここでは、ユーザ１０２の現在の位置１１４および現在の方向２０２は、ユーザ１０２について見込まれる幾らかの目的地２０６（例えば、ユーザ１０２の現在の経路または軌線に沿って関心のある幾らかの位置）を提案する。位置セットにおける少なくとも２つの位置について、デバイス１０４は、その位置がユーザ１０２の目的地２０６である確率６０４を特定する。このような１つの例として、確率６０４は、現在の位置１１４からのユーザ１０２の現在の方向２０２がその位置に対しどのくらい直接的に指向されているか（例えば、ユーザ１０２が目的地２０６に直接向かって進行しているか、または目的地２０６の接線方向に接近しているか）についての決定に従い計算される。このような第２の例として、デバイス１０４は、その位置とユーザ１０２の現在の位置１１４の間の距離６０２に比例して、その位置の確率６０４を減少させる（例えば、ユーザ１０２が近くにいる位置は、ユーザ１０２の現在の位置１１４から遠く離れている位置と比べて、その位置がユーザ１０２の目的地２０６となる確率６０４をより信頼性が高く提案することになる。）。このような第３の例として、目的地２０６の確率６０４は、目的地２０６へのユーザの関心の大きさに基づいて調整される。例えば、ユーザ１０２が頻繁に訪問している第１目的地２０６の確率６０４は大きくなり、また、ユーザ１０２が以前に一度のみしか訪問したことがない第２目的地２０６の確率６０４は小さくなる。このような第４の例として、デバイス１０４は、それぞれの位置についての確率６０４を比較して、ユーザ１０２の目的地２０６を予測する。例えば、特定の目的地２０６が比較的低い確率６０４と関連付けられる場合であっても、当該目的地２０６は、他のどの目的地２０６もより高い確率６０４を有しないときに、選択された目的地２０６として特定されることになる。
【００３６】
[0053]  この第２の態様の第５の変更例として、デバイス１０４は、より以前の位置（例えば、開始点）からユーザ１０２の現在の位置１１４までのユーザの移動経路を追跡し、ユーザ１０２の移動経路に従い（例えば、移動経路に沿うユーザ１０２の演算平均(arithmetic mean)またはモードの方向として）現在の方向２０２を検出する。このような追跡は、例えばユーザ１０２の方向２０２における一時的な変動を無視することによって、ユーザ１０２の目的地２０６についてより正確な予測を可能にする。
【００３７】
[0054]  図７は、この第２の態様の第６の変更例を特徴としている例示のシナリオ７００を提示する。ここでは、デバイス１０４は移動経路セット７０２にアクセスする。移動経路セット７０２は、ユーザ１０２の現在の位置１１４から個人７０４の個人目的地７０８まで、個人７０４が移動してきた少なくとも１つの移動経路７０６を含む。例えば、移動経路セット７０２は、他のウォーキングまたはドライブのルートを表す。当該ルートは他の個人７０４によって移動されたものであり、その結果、様々な個人目的地７０８に到達することができる。このことは、ユーザ１０２の目的地２０６の予測を促進することになる。このような１つの例として、デバイス１０４は、他の個人７０４の移動経路７０６を特定する。当該移動経路７０６は、ユーザ１０２の現在の位置１１４および現在の方向２０２を含む、またはこれらに接近する。ユーザ１０２の目的地２０６は、選択された移動経路７０６の個人目的地７０８に従い予測される。数多くのこのような変更例を利用して、本明細書に提示する技術に従いユーザ１０２の目的地２０６を予測することができる。
【００３８】
Ｅ３．コンテンツ・アイテムの選択
[0056]  本明細書に提示する技術の実施形態間で変更できる第３の態様は、ユーザ１０２への提示のために、予測された目的地２０６に関連付けられるコンテンツ・アイテム２０８を選択する手法に関する。
【００３９】
[0057]  この第３の態様の第１の変更例として、コンテンツ・アイテム２０８は、様々なソースから抽出される。このような第１の例として、デバイス１０２は、ユーザ１０２に関連付けられる個人によって投稿されるソーシャル・コンテンツ・アイテムを含むソーシャル・ネットワークにアクセスする。デバイス１０４は、ユーザ１０２に関連付けられる個人によってソーシャル・ネットワークからソーシャル・コンテンツ・アイテムを選択することによって、コンテンツ・アイテム２０８を特定する。ここでは、ソーシャル・コンテンツ・アイテムは、ユーザ１０２について予測された目的地２０６に関連付けられる。特に、このようなソーシャル・コンテンツ・アイテムは、ユーザ１０２にとって関心があり、および／またはソーシャル・ネットワーク内でユーザ１０２に関連するものであると予測され、ソーシャル・ネットワークから抽出される。別の例として、ユーザ１０２は、ユーザの関心を示すユーザ・プロファイルに関連付けられ、ユーザ１０２が有する当該ユーザ関心に関連するコンテンツ・アイテム２０８が選択される。
【００４０】
[0058]  この第３の態様の第２の変更例として、デバイス１０４は、コンテンツ・アイテム・セットにアクセスする。当該セットは、選択された目的地２０６に関連付けられる少なくとも２つのコンテンツ・アイテム２０８を含む。デバイス１０４は、目的地２０６のコンテンツ・アイテム２０８に対する重要度のような、コンテンツ・アイテム２０８の目的地２０６との関係度にしたがって（例えば、目的地２０６について中央にある第１ニュース記事２０８は、目的地２０６にわずかに言及するに過ぎない第２ニュース記事２０８よりも高くランク付けされることになる。）、および／または、現在の移動期間１１２からのコンテンツ・アイテムのエイジ(age)に従って、コンテンツ・アイテムのセットが有するそれぞれのコンテンツ・アイテム２０８をランク付けする。デバイス１０４は、コンテンツ・アイテムのセットが有するそれぞれのコンテンツ・アイテム２０８のランク付けに従って、選択されたコンテンツ・アイテム２０８を特定する。
【００４１】
[0059]  この第３の態様の第３の変更例として、少なくとも２つの位置について、デバイス１０４は、位置の確率をユーザ１０２の目的地２０６として特定する。デバイス１０４は、少なくとも２つの位置のそれぞれの確率に従って、目的地２０６を予測する。また、コンテンツ・アイテム２０８の位置との関係度、およびユーザ１０２の目的地２０６として位置の確率に従って、それぞれの位置についてそれぞれのコンテンツ・アイテム２０８をランク付けする。
【００４２】
[0060]  この文脈で利用される確率の計算についての例は次の数式として表現される。即ち、
【数１】
2017536532.tif 000003
【００４３】
[0062]  ここでは、
[0063]  ｄ２は、ユーザ１０２の経路に沿う最近ポイントとコンテンツ・アイテム２０８の位置との間の距離を表す。
[0064]  ｄ１は、ユーザの現在の位置１１４とユーザ１０２の経路に沿う最近ポイントとの間の距離を表す。
[0065]  αは、コンテンツ・アイテム２０８のエイジを表す。
[0066]  λ１およびλ２は同調定数を表し、それぞれのパラメータの相対的な重要度を同調させるのに使用される。
【００４４】
[0067]  図８は、本明細書に提示する技術に従い、ユーザ１０２に提示されるコンテンツ・アイテム２０８からの選択においてこのような幾らかの変更例を特徴としている例示のシナリオ８００について提示する。この例示のシナリオ８００では、それぞれのコンテンツ・アイテム２０８は、位置８０２と関係付けられ、コンテンツ・アイテム２０８のエイジを含む、コンテンツ・アイテムの位置８０２に対する関係度８０４に従いランク付けされる。コンテンツ・アイテム２０８はまた、位置８０２がユーザ１０２の目的地２０６であるという確率６０４に従いランク付けされる。これらの特性によるコンテンツ・アイテム２０８間のランク付け８０６により、コンテンツ・アイテム２０８からの選択を可能にし、ユーザ１０２に提示される。このような数多くの変更例は、本明細書に提示する技術に従って、ユーザに提示するためにコンテンツ・アイテム２０８の選択において利用することができる。
【００４５】
Ｅ４．コンテンツ・アイテムの提示
[0069]  本明細書に提示する技術について実施形態間で変更できる第４の態様は、選択されたコンテンツ・アイテム２０８をユーザ１０２に提示する手法に関する。
【００４６】
[0070]  この第４の態様の第１の変更例として、デバイス１０４は、目的地２０６の予測および当該予測に関係するコンテンツ・アイテム２０８の提示を定期的に更新する。例えば、第１にコンテンツ・アイテム２０８を提示した後の第２時刻で、ユーザ１０２について更新された位置１１４および更新された方向２０２を検出する。そして、更新された位置１１４および更新された方向２０２を用いて、ユーザ２０２について更新された目的地２０６を予測する。次いで、デバイス１０２は、更新された目的地２０６に従ってコンテンツ・アイテム（複数可）２０８の提示を調整する。
【００４７】
[0071]  この第４の態様の第２の変更例として、デバイス１０４は、ユーザ１０２に移動インタフェースを示す。当該移動インタフェースは、ユーザ１０２の現在の位置１１４および現在の方向２０２を示す（例えば地図）。デバイス１０４はまた、トラベル・インタフェースを提示するのと並行して１つ以上のコンテンツ・アイテム２０８をユーザ１０２に提示する。
【００４８】
[0072]  図９は、この第４の態様のこのような幾らかの変更例を特徴としている例示のシナリオ９００を示す。この例示のシナリオ９００では、デバイス１０４は、ユーザ１０２の目的地２０６の予測、および当該予測に関連するコンテンツ・アイテム２０８の提示を定期的に更新する。例えば、移動期間１１２の間における第１時刻１１８で、デバイス１０４は、ユーザ１０２の現在の位置１１４および現在の方向２０２と整合する予測された目的地２０６の第１セットを特定する。また、１つの当該目的地２０６によく(respectfully)関連するコンテンツ・アイテム２０８のセットを特定する。デバイス１０４は、移動インタフェース９０２をユーザ１０２に提示する。移動インタフェース９０２は、現在の位置１１４および現在の方向２０２を示す。また、これと並行して、予測される目的地２０６のそれぞれについてコンテンツ・アイテム２０８のセット９０４を（例えば、コンテンツ・アイテム２０８のヘッドラインまたはサマリのようなサマリ形式で）提示する。ユーザ１０２がセット９０４においてコンテンツ・アイテム２０８を選択する場合に、その選択されたコンテンツ・アイテム２０８はユーザ１０２に完全に提示される。第２時刻１２４で、ユーザ１０２の更新された位置１１４および方向２０２が検出され、ユーザ１０２が特定の目的地２０６を通過したことを示す。したがって、コンテンツ・アイテム２０８のセット９０４が更新されて、ユーザ１０２が通過した特定の目的地２０６を取り除くことになる。このようにして、デバイス１０４は、目的地２０６の予測と、それに関連付けられるコンテンツ・アイテム２０８の提示と、を定期的に更新することができる。
【００４９】
[0073]  この第４の態様の第３の変更例として、コンテンツ・アイテム・セット９０４が有するコンテンツ・アイテム２０８の提示は、様々な手法でソートされる。このような第１の例として、特定の目的地２０６に関連付けられる少なくとも２つのコンテンツ・アイテム２０８を含むコンテンツ・アイテム・セットに対し、デバイス１０４は、コンテンツ・アイテム２０８の目的地２０６との関係度に従ってそれぞれのコンテンツ・アイテム２０８をランク付けする。次いで、デバイス１０４は、それぞれのコンテンツ・アイテム２０８の当該ランク付けに従ってソートされた、少なくとも２つのコンテンツ・アイテム２０８を有するコンテンツ・アイテム・セットをユーザ１０２に提示する。このような第２の例として、それぞれのコンテンツ・アイテム２０８は、幾らかの予測された目的地２０６の内１つに関連付けられる。デバイス１０４はユーザ１０２の目的地２０６と現在の位置１１４の間の距離に従ってコンテンツ・アイテム・セット９０４をソートする。
【００５０】
[0074]  この第４の態様の第４の変更例として、ユーザ１０２の現在の移動期間１１２は、ユーザ１０２の相互作用モダリティ(interaction modality)に関連付けられる。例えば、車両を操作する間に、ユーザ１０２は、聴覚コンテンツ・アイテム２０８を聴くことが可能であるが、視覚コンテンツ・アイテム２０８については不可能である。また、満員電車またはバスで移動している間に、ユーザ１０２は、視覚コンテンツ・アイテム２０８を閲覧することが可能であるが、提示される聴覚コンテンツ・アイテム２０８を聴くことは不可能である。したがって、デバイス１０４は、ユーザ１０２の相互作用モダリティに従ってフォーマットされる（例えば、テキスト・ツー・スピーチのインタフェースを用いて、視覚テキスト・コンテンツ・アイテム２０８を聴覚フォーマットに変換する）コンテンツ・アイテム２０８を提示する。このような１つの例として、デバイス１０４は、ユーザ１０２への提示のために選択されることになるコンテンツ・アイテム２０８についての検討を、ユーザ１０２の相互作用モダリティに従って既にフォーマット済のコンテンツ・アイテムのサブセットに制限する。
【００５１】
[0075]  この第４の態様の第５の変更例として、それぞれのコンテンツ・アイテム２０８は、優先度（例えば、コンテンツ・アイテム２０８の緊急性（例えば、緊急コンテンツ・アイテム２０８、即ちコンテンツ・アイテム２０８のユーザ１０２との関係度））に関連付けられる。デバイス１０４は、コンテンツ・アイテム２０８をコンテンツ・アイテム・フォーマットで提示する。コンテンツ・アイテム・フォーマットは、コンテンツ・アイテム２０８の優先度を反映する。例えば、緊急コンテンツ・アイテム２０８は、高位の視覚フォーマットでユーザ１０２に提示される。その一方で、中位の優先度のコンテンツ・アイテム２０８は、通常のコンテンツ・アイテムとしてユーザ１０２に供給される。
【００５２】
[0076]  図１０は、コンテンツ・アイテム２０８の提示においてこのような幾らかの変更例を特徴としている例示のシナリオ１０００を提示する。ここでは、デバイス１０４は、それぞれの目的地２０６を示す、ユーザ１０２の移動インタフェース９０２を提示する。デバイス１０４はまたモダリティ１００２を特定する。ここでは、ユーザ１０２はコンテンツ・アイテム２０８を受け取ることができ、および／またはコンテンツ・アイテム２０のフォーマットを整合させることができる（例えば、聴覚的に提示されるコンテンツ・アイテム２０８）。デバイス１０４はまた、コンテンツ・アイテム２０８の優先度１００４を特定し、優先度１００４を反映するコンテンツ・アイテム２０８のフォーマットを選択する（例えば、高位の優先度のコンテンツ・アイテム２０８の音量を増加させる、および／または高位の優先度のコンテンツ・アイテム２０８を提示するために現在の聴覚の提示を中断させる。）。このようにして、移動インタフェース９０２は、本明細書に提示する技術についてのこの第４の態様の幾らかの変更例に従って、コンテンツ・アイテム２０８の提示を適合することができる。
【００５３】
Ｆ．コンピューティング環境
[0078]  図１１から先の検討は、本明細書に記載する１つ以上のプロビジョンの実施形態を実施するための適切なコンピューティング環境について簡潔で包括的な説明を行う。図１１の動作環境は、適切な動作環境の一例のみにすぎず、使用範囲または動作環境の機能に関して如何なる限定を示唆することを意図するものではない。例示のコンピューティング・デバイスは、限定的ではないが、パーソナル・コンピュータ、サーバ・コンピュータ、ハンドヘルドまたはラップトップ・デバイス、モバイル・デバイス（例えば、モバイル・フォン、パーソナル・デジタル・アシスタント（ＰＤＡ）、メディア・プレイヤ等）、マルチプロセッサ・システム、コンシューマ・エレクトロニクス、ミニ・コンピュータ、メインフレーム・コンピュータ、上記システムまたはデバイスの如何なるものも含む分散コンピューティング環境等を含む。
【００５４】
[0079]  必要というわけではないが、実施例は、１つ以上のコンピューティング・デバイスによって実行されている「コンピュータ可読命令」について一般的な文脈で説明する。コンピュータ可読命令は、後記するコンピュータ可読媒体を通じて配給されてもよい。コンピュータ可読命令は、プログラム・モジュール（例えば、ファンクション、オブジェクト、プリケーション・プログラミング・インタフェース（ＡＰＩ）、データ構造等）として実装される。プログラム・モジュールは特定のタスクを実行するか、または特定の抽象データ・タイプを実装する。コンピュータ可読命令の機能は通例、様々な環境で所望されるとおりに結合されてもよいし、または分散されてもよい。
【００５５】
[0080]  図１０は、本明細書に提供される１つ以上の実施形態を実施するように構成されるコンピューティング・デバイス１１０２を備えるシステム１１００の例を示す。１つの構成では、コンピューティング・デバイス１１０２は、少なくとも１つの処理ユニット１１０６およびメモリ１１０８を含む。コンピューティング・デバイスの正確な構成および種別に応じて、メモリ１１０８は、揮発性（例えば、ＲＡＭ）、不揮発性（例えば、ＲＯＭ、フラッシュ・メモリ等）、またはこれら２つの幾らかの組み合わせとすることができる。この構成は、図１０では点線１１０４として示す。
【００５６】
[0081]  他の実施態様では、デバイス１１０２は、追加の特徴および／または機能を含むことができる。例えば、デバイス１１０２はまた、限定的ではないが、磁気ストレージ、光ストレージ等を含む追加のストレージ（例えば、着脱可能なおよび／または着脱不可能なもの）を含むことができる。このような追加のストレージのことを、図１１ではストレージ１１１０として示す。一実施形態では、本明細書に提供される１つ以上の実施形態を実施するコンピュータ可読命令は、ストレージ１１１０内にあってもよい。ストレージ１１１０はまた、オペレーティング・システム、アプリケーション・プログラム等を実装する他のコンピュータ可読命令を格納してもよい。コンピュータ可読命令は、例えば、処理ユニット１１０６による実行に対し、メモリ１１０８にロードしてもよい。
【００５７】
[0082]  本明細書で用いられる「コンピュータ可読媒体」という用語は、通信媒体を含む他の形態のコンピュータ可読媒体（例えば、信号）を除外するコンピュータ可読メモリ・デバイスを含む。このようなコンピュータ可読メモリ・デバイスは、揮発性および／または不揮発性、着脱可能および／または着脱不可能としてもよく、コンピュータ可読命令または他のデータを格納する様々な種別の物理デバイスを含む。メモリ１１０８およびストレージ１１１０は、コンピュータ・ストレージ媒体の例示である。コンピュータ・ストレージ・デバイスは、限定的ではないが、ＲＡＭ、ＲＯＭ、ＥＥＰＲＯＭ、フラッシュ・メモリ若しくは他のメモリ技術、ＣＤーＲＯＭ、ＤｉｇｉｔａｌＶｅｒｓａｔｉｌｅＤｉｓｋ（ＤＶＤ）若しくは他の光ストレージ、磁気カセット、磁気テープ、および磁気ディスクストレージ若しくは他の磁気ストレージ・デバイスを含む。
【００５８】
[0083]  デバイス１１０２はまた、デバイス１１０２が他のデバイスと通信するのを可能にする通信接続（複数可）１１１６を含んでもよい。通信接続（複数可）１１１６は、限定的ではないが、モデム、ネットワーク・インタフェース・カード（ＮＩＣ）、統合ネットワーク・インタフェース、無線周波数送信機／受信機、赤外線ポート、ＵＳＢ接続、または、コンピューティング・デバイス１１０２を他のコンピューティング・デバイスに接続するための他のインタフェースを含む。通信接続（複数可）１１１６は、有線接続または無線接続を含んでもよい。通信接続（複数可）１１１６は、通信媒体を送信および／または受信してもよい。
【００５９】
[0084]  「コンピュータ可読媒体」という用語は、通信媒体を含んでもよい。通信媒体は、通例、コンピュータ可読命令、または搬送波のような「変調データ信号」若しくは他の搬送機構における他のデータを実施し、また如何なる情報デリバリ媒体をも含む。「変調データ信号」という用語は、それがセットされるかまたはこのような方法で変更される特徴の１つのその信号の特徴セットを有する信号を含むことができ、信号内の情報をエンコードする方法で変更される。
【００６０】
[0085]  デバイス１１０２は、入力デバイス（複数可）１１１４（例えば、キーボード、マウス、ペン、音声入力デバイス、タッチ入力装置、赤外線カメラ、ビデオ入力デバイス、および／または如何なる他の入力デバイス）を含む。出力デバイス（複数可）１１１２（例えば、１つ以上のディスプレイ、スピーカ、プリンタ、および／または如何なる他の出力デバイス）はまた、デバイス１１０２に含まれる。入力デバイス（複数可）１１１４および出力デバイス（複数可）１１１２は、有線接続、無線接続、またはこれらの如何なる組み合わせを介してデバイス１１０２に接続される。一実施形態では、他のコンピューティング・デバイスからの入力デバイスまたは出力デバイスが、コンピューティング・デバイス１１０２用の入力デバイス（複数可）１１１４または出力デバイス（複数可）１１１２として使用されてもよい。
【００６１】
[0086]  コンピューティング・デバイス１１０２が有するコンポーネントは、様々な相互接続（例えば、バス）によって接続される。このような相互接続は、ＰｅｒｉｐｈｅｒａｌＣｏｍｐｏｎｅｎｔＩｎｔｅｒｃｏｎｎｅｃｔ（ＰＣＩ）（例えば、ＰＣＩＥｘｐｒｅｓｓ、ユニバーサル・シリアル・バス（ＵＳＢ）、Ｆｉｒｅｗｉｒｅ（ＩＥＥＥ１３９４）、光学バス構造等）を含む。他の実施形態では、コンピューティング・デバイス１１０２のコンポーネントは、ネットワークによって相互接続されてもよい。例えば、メモリ１１０８は、ネットワークによって相互接続される、異なる物理位置にある複数の物理メモリ・ユニットに含まれてもよい。
【００６２】
[0087]  当業者にとって、コンピュータ可読命令を格納するのに利用されるストレージ・デバイスはネットワークにわたり分散できることが認識されるであろう。例えば、ネットワーク１１１８を介して利用できるコンピューティング・デバイス９２０は、コンピュータ可読命令を格納して、本明細書に提供される１つ以上の実施形態を実施する。コンピューティング・デバイス１１０２は、コンピュータティング・デバイス１１２０にアクセスし、実行のためのコンピュータ可読命令の一部または全部をダウンロードする。代替として、コンピューティング・デバイス１１０２は、必要に応じてコンピュータ可読命令の一部をダウンロードしてもよく、幾らかの命令はコンピューティング・デバイス１１０２において実行されると共に、幾らかはコンピューティング・デバイス１１２０において実行されてもよい。
【００６３】
Ｇ．用語の使用
[0089]  本主題について構造上の特徴および／または方法論的な行為に特化して言語により説明してきたが、添付の特許請求の範囲において規定される主題は、必ずしも上記の特定の特徴や行為には限定されないことを理解すべきである。それよりかは寧ろ、上記の特定の特徴および行為は、特許請求を実施する例示の形態として開示するものである。
【００６４】
[0090]  本出願で使用した、「コンポーネント」、「モジュール」、「システム」、「インタフェース」等の用語は、全般的に、コンピュータ関連エンティティ、ハードウェア、ハードウェアおよびソフトウェアの組み合せ、ソフトウェア、または実行中のソフトウェアを指すことを意図するものである。例えば、コンポーネントは、限定的ではないが、プロセッサ上で起動するプロセス、プロセッサ、オブジェクト、実行可能形式(executable)、実行スレッド、プログラム、および／またはコンピュータとすることができる。実例として、コントローラ上で起動するアプリケーションおよびコントローラの両方をコンポーネントとすることができる。１つ以上のコンポーネントは、プロセスおよび／または実行スレッド内に常駐することができ、コンポーネントは１つのコンピュータ上にローカライズされ、および／または２つ以上のコンピュータの間で分散されてもよい。
【００６５】
[0091]  更にまた、特許請求する主題は、規格化されたプログラミングおよび／またはエンジニアリングの技術を用いた方法、装置または製造する物品として実施することができ、ソフトウェア、ファームウェア、ハードウェア、またはこれらの如何なる組み合わせを生産し、開示した主題をコンピュータが実装するのを制御することができる。本明細書で用いる「製造する物品」という用語は、如何なるコンピュータ可読デバイス、キャリアまたはメディアからアクセス可能なコンピュータ・プログラムを包含することが意図される。勿論、当業者にとって、特許請求する主題の範囲および趣旨から逸脱することなく、この構成に多くの変更を行うことができるものと認識されるであろう。
【００６６】
[0092]  実施形態の様々な動作について本明細書に提供している。一実施形態では、説明した１つ以上の動作が１つ以上のコンピュータ可読媒体に格納されたコンピュータ可読命令を構成することができ、コンピューティング・デバイスにより実行されると、当該コンピューティング・デバイスに説明した動作を実行させることになる。動作の幾らかまたは全てについて説明した順序について、これらの動作が必ず順序依存であることを意図するものとして解釈してはならない。代替の順序付けが、この説明の利益を享受する当業者に認められるであろう。更に、全ての動作が、本明細書に提供される各実施形態に必ずしも存在するわけではないことが理解されるであろう。
【００６７】
[0093]  「例示の」として本明細書に記載される如何なる態様または設計も、必ずしも、他の態様または設計に対して優位なものとして解釈すべきではない。寧ろ、「例示の」という語の使用は、具体的なやり方で概念を提示することを意図するものであり、本明細書に提示される技術に関連がある。このような例は、このような技術に必要ではないか、または限定することを意図するのではない。このような技術の様々な実施例は、単独で、或いは他の特徴と組み合わせて、このような例を含むことがあり、並びに／または、説明される例を変更および／若しくは省略することがある。
【００６８】
[0094]  本出願で用いる、「または(or)」なる語は、排他的(exclusive)「または(or)」ではなく、包括的(inclusive)「または(or)」を意味することを意図するものである。即ち、他に特定されない場合、またはコンテキストから明らかでない場合は、「ＸはＡまたは(or)Ｂを採用する」は、本来の包括的な順列を何れかを意図する。即ち、ＸがＡを採用し、ＸがＢを採用し、またはＸがＡとＢの両方を採用する場合は、「ＸはＡまたは(or)Ｂを採用する」は、上記の何れの下でも充足する。加えて、本出願および添付の特許請求の範囲で用いる「ａ」および「ａｎ」は、全般的に、他に特定されない場合または単数の形態に向けられることが文脈から明らかでない場合には、「１またはそれ以上」を意味するものと解釈することができる。
【００６９】
[0095]  また、本開示は、１つ以上の実施態様に関して図示および説明してきたが、均等する変更態様および修正態様が、この明細書および添付の図面を読み込んで理解することに基づいて当該技術分野における当業者に生じさせるであろう。本開示は、全てのこのような修正態様および変更態様を含み、また、以降の特許請求の範囲のみによって制限される。上記のコンポーネント（例えば、構成要素、リソース等）によって実行される様々な機能に関しては特に、このようなコンポーネントを説明するのに用いられる用語は、本明細書に示した本開示についての例示の実装態様の機能を実行する開示した構造とは構造的に均等でない場合であっても、説明したコンポーネントについての特定の機能（例えば、機能的な均等物）を実行する如何なるコンポーネントに対応することを意図するものである。加えて、本開示の特定の特徴点が、幾らかの実施態様の１つのみに関して開示した一方で、このような特徴点は、如何なる所与のまたは特定のアプリケーションについて所望され有利となり得るように、他の実施態様の１つ以上と組み合わせてもよい。更にまた、「含む(includes)」、「有する(having)」、「有する(has)」、「有する(with)」なる用語、またはこれらの他の変更例は、発明の詳細な説明または特許請求の範囲のいずれかで用いられ、これら用語は「備える(comprising)」なる用語と同様に含まれることを意図するものである。
【図１】
2017536532.tif 000004
【図２】
2017536532.tif 000005
【図３】
2017536532.tif 000006
【図４】
2017536532.tif 000007
【図５】
2017536532.tif 000008
【図６】
2017536532.tif 000009
【図７】
2017536532.tif 000010
【図８】
2017536532.tif 000011
【図９】
2017536532.tif 000012
【図１０】
2017536532.tif 000013
【図１１】
2017536532.tif 000014
【国際調査報告】
2017536532.tif 000015
2017536532.tif 000016
2017536532.tif 000017